(57)【特許請求の範囲】
【請求項１】
レベル表示面(5)を有するレベル表示体(6)が内設されたケース体(1)と、前記レベル表示体(6)の上面に形成された光透過部材(7)と、前記ケース体(1)の上蓋(9)の下方で左右方向に移動自在に配設されＬ字型をなす指針体(10)と、前記指針体(10)の先端に形成され前記レベル表示面(5)の外側に位置する指針照光部(12)と、前記レベル表示体(6)の後方で、かつ、前記光透過部材(7)の内側に配設された発光体(8)と、を備え、
前記光透過部材(7)の表面(7a)は、ローレット加工により形成された格子状又は菱形状の模様を有し、前記発光体(8)からの光は、前記模様を有する前記表面(7a)から前記指針体(10)の基部(11)を経て前記指針照光部(12)に導光されることを特徴とする照光式アナログ指針表示装置。
【請求項２】
前記光透過部材(7)は、アクリル樹脂よりなることを特徴とする請求項１記載の照光式アナログ指針表示装置。
【発明の詳細な説明】
【技術分野】
【０００１】
本発明は、照光式アナログ指針表示装置に関し、特に、発光体からの光を指針体に導光する場合の光透過部材の表面を格子状又は菱形状のローレット加工とすることにより、指針体への光の伝達性を向上させ指針照光部の輝度を向上させるための新規な改良に関する。
【背景技術】
【０００２】
従来、用いられていたこの種の照光式アナログ指針表示装置としては、社内製作のみで、特に特許出願等を行っていないため、ここでは、従来構成を示す特許文献等を開示していないが、従来構成としては、図４及び図５に示すことができる。
【０００３】
図４において、符号１で示されるものは、全体形状がほぼ箱型をなすケース体であり、このケース体１の前面開口２には透明体よりなる前面カバー板３が設けられている。
前記ケース体１の底板４上には、アナログ状のレベル表示面５を有するレベル表示体６が設けられており、このレベル表示体６の上部には、透明なアクリル樹脂からなる光透過部材７が設けられている。
【０００４】
前記レベル表示体６内には、ＬＥＤ等の発光体８が内設され、前記光透過部材７の上方で、かつ、前記ケース体１の上蓋９の下方位置には、Ｌ字型に曲折され導光体からなる指針体１０が前記レベル表示面５に対して横方向すなわち左右方向に移動自在に設けられており、この指針体１０の基部１１から延設された先端には指針照光部１２が形成されている。
【０００５】
前記光透過部材７は、板状をなす全体形状がアクリル樹脂による透明板であり、その表面７ａは、樹脂射出成形による成形面、すなわち、平滑面のままで肉眼では透明状態であり、図５に示されるように前記表面７ａには何らの後処理はなされていない。
【０００６】
従って、前述の従来構成において、図示しない電源を投入し、前記発光体８が点灯すると、この発光体８からの光は、前記光透過部材７及び表面７ａを経て前記指針体１０に入射され、この指針体１０に入射された光は、この指針体１０の基部１１から先端の指針照光部１２へ導光され、レベル表示面５に対する指針照光部１２の位置が明示される。
【発明の開示】
【発明が解決しようとする課題】
【０００７】
従来の照光式アナログ指針表示装置は、以上のように構成されているため、次のような課題が存在していた。
すなわち、光透過部材の表面は、何らの後処理がなされていない平滑面であるため、この光透過部材を透過した後の光は、図４の矢印で示されるように、同じ方向、すなわち、一方向への出射であるため、指針体に対する光の伝達性が低く、指針照光部における発光量が十分でなく、発光量の向上が切望されていた。
【課題を解決するための手段】
【０００８】
本発明による照光式アナログ指針表示装置は、レベル表示面を有するレベル表示体が内設されたケース体と、前記レベル表示体の上面に形成された光透過部材と、前記ケース体の上蓋の下方で左右方向に移動自在に配設されＬ字型をなす指針体と、前記指針体の先端に形成され前記レベル表示面の外側に位置する指針照光部と、前記レベル表示体の後方で、かつ、前記光透過部材の内側に配設された発光体と、を備え、前記光透過部材の表面は、ローレット加工により形成された格子状又は菱形状の模様を有し、前記発光体からの光は、前記模様を有する前記表面から前記指針体の基部を経て前記指針照光部に導光される構成であり、また、前記光透過部材は、アクリル樹脂よりなる構成である。
【発明の効果】
【０００９】
本発明による照光式アナログ指針表示装置は、以上のように構成されているため、次のような効果を得ることができる。
すなわち、レベル表示体の上部に設けられた光透過部材の表面が、従来の平滑面ではなく、ローレット加工による格子状又は菱形状に形成された表面、すなわち、周知のアヤ目加工で構成されているため、光透過部材を通過した光は、図２の矢印で示されるように、多方向に散乱して指針体に入射するため、従来よりも光の伝達性が向上し、指針照光部の発光量が従来よりも増大し、より明確な指針表示を行うことができる。
【発明を実施するための最良の形態】
【００１０】
本発明は、発光体からの光を指針体に導光する場合の光透過部材の表面を格子状又は菱形状のローレット加工とすることにより、指針体への光の伝達性を向上させ指針照光部の輝度を向上させるようにした照光式アナログ指針表示装置を提供することを目的とする。
【実施例】
【００１１】
以下、図面と共に本発明による照光式アナログ指針表示装置の好適な実施の形態について説明する。
尚、従来例と同一又は同等部分については同一符号を用いて説明する。
図１及び図２において符号１で示されるものは、全体形状がほぼ箱型をなすケース体であり、このケース体１の前面開口２には透明体よりなる前面カバー板３が設けられている。
前記ケース体１の底板４上には、アナログ状のレベル表示面５を有するレベル表示体６が設けられており、このレベル表示体６の上部には、透明なアクリル樹脂からなる光透過部材７が設けられている。
【００１２】
前記レベル表示体６内には、ＬＥＤ等の発光体８が内設され、前記光透過部材７の上方で、かつ、前記ケース体１の上蓋９の下方位置には、Ｌ字型に曲折され導光体からなる指針体１０が前記レベル表示面５に対して横方向すなわち左右方向に移動自在に設けられており、この指針体１０の基部１１から延設された先端には指針照光部１２が形成されている。
【００１３】
前記光透過部材７は、板状をなす全体形状がアクリル樹脂による透明板であり、その表面７ａは、図３で示されるように、周知のローレット加工により格子状又は菱形状となるように浅い形状の切削による直線溝を多数形成し、直線溝を形成しない部分との組合わせにより、全体として前記表面７ａが前述の格子状又は菱形状の模様（当業者ではアヤ目加工と称し、肉眼では曇硝子状）を呈することになる。
【００１４】
従って、前述の構成において、図示しない電源を投入し、前記発光体８が点灯すると、この発光体８からの光は、前記光透過部材７及び表面７ａを経て前記指針体１０に入射され、この指針体１０に入射された光は、この指針体１０の基部１１から先端の指針照光部１２へ導光され、前記発光体８によって照光されているレベル表示面５に対する指針照光部１２の位置が明示される。
【００１５】
前述の場合、前記発光体８からの光は、前記光透過部材７を透過する際に、前記表面７ａの前述の模様により、図２で示されるように、その光の方向が一方向ではなく、多方向となって前記指針体１０に入射する。この現象により従来の一方向に揃う光と異なり、指針体１０内で反射する光の方向も多方向となり前記指針照光部１２へ導光される光量が従来よりも多くなり高輝度の指針照光部１２を得ることができる。
【図面の簡単な説明】
【００１６】
【図１】本発明による照光式アナログ指針表示装置を示す斜視図である。
【図２】図１の拡大断面図である。
【図３】図１の光透過部材の表面を部分的に示す拡大平面図である。
【図４】従来の照光式アナログ指針表示装置を示す断面図である。
【図５】図４の光透過部材の表面の一部を拡大して示す平面図である。
【符号の説明】
【００１７】
１    ケース体
２    前面開口
３    前面カバー板
４    底板
５    レベル表示面
６    レベル表示体
７    光透過部材
７ａ    表面（模様）
８    発光体
９    上蓋
１０    指針体
１１    基部
１２    指針照光部
【図１】
0005097903.tif 000002
【図２】
0005097903.tif 000003
【図３】
0005097903.tif 000004
【図４】
0005097903.tif 000005
【図５】
0005097903.tif 000006